【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
プランジャーロッドをシリンジアセンブリに結合するための機械であって、前記機械は：
シリンジアセンブリを受け入れるようなサイズにされたシート部分と、前記シート部分の上方に配置され且つプランジャーロッドを受け入れるようなサイズにされたアパーチャ部分とがある受け台を含む、選択したキャリッジ；
前記選択したキャリッジに動作可能に結合され、且つ前記受け台を第１の位置から第２の位置へ動かして前記プランジャーロッドを前記シリンジアセンブリに結合するように適合された作動機器
を含み、及び
前記選択したキャリッジは、別個の及び互換性のある第１及び第２のキャリッジから選択され、前記第１のキャリッジは、第１のサイズのシリンジアセンブリを受け入れるように適合された受け台を含み、及び前記第２のキャリッジは、前記第１のサイズとは異なる第２のサイズのシリンジアセンブリを受け入れるようなサイズにされた受け台を含む、機械。
【請求項２】
さらに、前記受け台の上方に位置決めされた、選択した圧力板を含んで、前記受け台が前記第１の位置から前記第２の位置へ動くときに、前記受け台が、前記選択した圧力板の真下を動くようにし、前記選択した圧力板は、前記受け台が前記第１の位置から前記第２の位置へ動くときに、前記受け台の前記アパーチャ部分に配置された前記プランジャーロッドに下向きの力を加えるように適合されている、請求項１に記載の機械。
【請求項３】
さらに、前記選択した圧力板に動作可能に結合された、選択した定張力バネを含み、前記選択した圧力板が、前記受け台が前記第１の位置から前記第２の位置へ動くときに、前記プランジャーロッドの近位端部を受け入れるように適合された入口部分を規定し、前記選択した定張力バネは、前記受け台が前記第１の位置と前記第２の位置との間を動くときに、前記プランジャーロッドに、前記選択した圧力板を介して加えられた前記下向きの力を提供する、請求項２に記載の機械。
【請求項４】
前記第１のキャリッジは、前記第１のキャリッジに結合された第１の圧力板を含み、及び前記第２のキャリッジは、前記第２のキャリッジに結合された第２の圧力板を含んで、前記選択した圧力板が、前記選択したキャリッジに結合されるようにする、請求項１〜３のいずれか１項に記載の機械。
【請求項５】
さらに、早替え締結具及びテーブルを含み、前記選択したキャリッジは、前記早替え締結具によって前記テーブルに取り外し自在に結合である、請求項１〜４のいずれか１項に記載の機械。
【請求項６】
前記第１のキャリッジは第１のベースを含み、及び前記第２のキャリッジは第２のベースを含み、及び前記作動機器は、前記第１及び第２のベースに動作可能に接続されるように適合されたサーボモータを含む、請求項１〜５のいずれか１項に記載の機械。
【請求項７】
さらに、前記選択したキャリッジに隣接して配置された、選択した摩擦要素を含み、前記選択した摩擦要素は、前記受け台が前記第１の位置から前記第２の位置へ動く間、前記受け台によって運ばれる前記シリンジアセンブリの注射筒に係合するように適合され、前記摩擦要素は、前記受け台が前記第１の位置から前記第２の位置へ動くときに、前記注射筒に回転力を加えて、前記プランジャーロッドに対して前記シリンジアセンブリをスピンさせるように適合されている、請求項１〜６のいずれか１項に記載の機械。
【請求項８】
前記第１のキャリッジは、前記第１のキャリッジに結合され且つ第１の摩擦要素を支持する第１のガイドプレートを含み、及び前記第２のキャリッジは、前記第２のキャリッジに結合され且つ第２の摩擦要素を支持する第２のガイドプレートを含んで、前記選択した摩擦要素が、前記選択したキャリッジに結合された選択したガイドプレートによって支持されるようにする、請求項７に記載の機械。
【請求項９】
さらに、前記選択したキャリッジに結合された、選択した可動プランジャーロッドベースであって、前記選択したプランジャーロッドベースは、前記受け台の上方に配置され、且つ前記プランジャーロッドのフランジ付き近位端部を受け入れるようなサイズにされたオリフィスを含み、前記オリフィスは、前記受け台の前記アパーチャ部分と同軸に位置合わせされ、前記プランジャーロッドベースは、前記受け台と一緒に前記第１の位置から前記第２の位置へ可動である、可動プランジャーロッドベース；
外側に延在するタブが、前記選択したプランジャーロッドベースの前記オリフィス内へと延在するように配置された、選択した保持キャップであって、前記選択したプランジャーロッドベースに取り外し自在に取り付けられる、選択した保持キャップ
を含み；及び
前記選択した保持キャップは、前記選択したキャリッジに対して固定され、且つ前記受け台が前記第１の位置にあるときに前記オリフィス内に配置される、請求項１〜８のいずれか１項に記載の機械。
【請求項１０】
前記選択したプランジャーロッドベースは、別個の及び互換性のある第１及び第２のプランジャーロッドベースから選択され、前記第１のプランジャーロッドベースは、第１のサイズのプランジャーロッドを受け入れるように適合されたオリフィスを含み、及び前記第２のプランジャーロッドベースは、前記第１のサイズとは異なる第２のサイズのプランジャーロッドを受け入れるようなサイズにされたオリフィスを含む、請求項９に記載の機械。
【請求項１１】
前記受け台は、前記シリンジアセンブリ及びプランジャーロッドが前記受け台内に配置されているとき、前記シリンジアセンブリ及びプランジャーロッドの縦軸と同軸である受け台軸を含み、前記受け台軸は、垂直方向に対して、ゼロ度を上回る角度で配置されている、請求項１〜１０のいずれか１項に記載の機械。
【請求項１２】
前記選択したキャリッジは、前記受け台軸に対して平行である回転軸を備える回転木馬式の回転台を含んで、前記選択したキャリッジの前記回転軸が、垂直方向に対して、ゼロ度を上回る角度で配置されるようにする、請求項１１に記載の機械。
【請求項１３】
前記作動機器は、起動事象に応答して、前記受け台を前記第１の位置と前記第２の位置との間で割り送りするように適合されている、請求項１〜１２のいずれか１項に記載の機械。
【請求項１４】
前記作動機器は、前記起動事象の発生時に、前記受け台を１回のみ割り送りする、請求項１３に記載の機械。
【請求項１５】
前記作動機器は、サーボモータと、前記サーボモータを動作可能に制御するための動作スイッチとを含み、前記サーボモータは、前記選択したキャリッジに結合されて、前記選択したキャリッジを介して前記受け台を動かす、請求項１〜１４のいずれか１項に記載の機械。
【請求項１６】
前記作動機器は、ユーザが前記受け台を前記第１の位置から前記第２の位置へ手動で割り送りするためのレバーを含む、請求項１〜１５のいずれか１項に記載の機械。
【請求項１７】
前記作動機器は、前記レバーを動かすように配置された摺動可能ブラケットを含む、請求項１６に記載の機械。
【請求項１８】
前記選択したキャリッジは、前記選択的な圧力板に対して回転式に配置される、請求項２〜１７のいずれか１項に記載の機械。
【請求項１９】
前記受け台の前記シート部分は、間隙によって分離された第１のローラ及び第２のローラを含み、前記シート部分の前記第１及び第２のローラは、前記受け台によって運ばれるとき、前記シリンジアセンブリの前記注射筒に係合し且つ前記間隙内に前記注射筒を保持するように適合され、前記第１及び第２のローラは、前記受け台が前記第１の位置から前記第２の位置へ割り送りするときに、前記シリンジアセンブリがスピンできるようにする、請求項１〜１８のいずれか１項に記載の機械。
【請求項２０】
前記選択したキャリッジは、前記選択したキャリッジによって支持される複数の受け台を含む、請求項１〜１９のいずれか１項に記載の機械。
【請求項２１】
さらに、前記受け台の前記第２の位置において、前記選択したキャリッジに隣接して配置された、選択した出口シュートを含み、前記選択した出口シュートは、前記プランジャーロッドが前記シリンジアセンブリに結合された後、前記受け台から前記プランジャーロッド及びシリンジアセンブリを受け入れるように適合され；
前記第１のキャリッジは、前記第１のキャリッジに結合された第１の出口シュートを含み、及び前記第２のキャリッジは、前記第２のキャリッジに結合された第２の出口シュートを含んで、前記選択した出口シュートが前記選択したキャリッジに結合されるようにする、請求項１〜２０のいずれか１項に記載の機械。
【請求項２２】
前記選択した出口シュートは斜面を含み、前記斜面は、前記受け台が前記第２の位置へ動いた後、前記プランジャーロッド及びシリンジアセンブリを受け入れるようなサイズにされたスロットを含む、請求項２１に記載の機械。
【請求項２３】
プランジャーロッドをシリンジアセンブリに結合するために、機械を使用する方法であって、前記方法は：
作動機器から第２のキャリッジを切り離すこと；
作動機器から前記第２のキャリッジを切り離した後、前記作動機器に第１のキャリッジを結合することであって、前記第１のキャリッジは、第１のサイズのシリンジアセンブリを受け入れるように適合された第１の可動受け台を含むこと；
前記第１のキャリッジの前記第１の可動受け台に第１のシリンジアセンブリを位置決めすることであって、前記第１のシリンジアセンブリは、遠位端部及び近位端部、注射筒、及び前記注射筒内に配置されたプランジャーを含むこと；
前記第１のキャリッジの前記第１の受け台に第１のプランジャーロッドを位置決めすることであって、前記第１のプランジャーロッドは遠位ロッド端部及び近位ロッド端部を含み、及び前記遠位ロッド端部は、前記第１のシリンジアセンブリの前記近位端部の上方に配置され、且つ前記プランジャーと軸方向に位置合わせされていること；及び
前記第１のキャリッジに結合された前記作動機器を起動して、前記第１の受け台を第１の位置から第２の位置へ動かし、それにより、前記第１のプランジャーロッドに力を加えて、前記第１のプランジャーロッドが前記第１のシリンジアセンブリと結合されるようにすること
を含む、方法。
【請求項２４】
さらに、前記第１の受け台が前記第１の位置から前記第２の位置の方へ動くときに、前記第１のプランジャーロッドの前記近位ロッド端部に下向きの力を加えることを含む、請求項２３に記載の方法。
【請求項２５】
さらに、早替え締結具によって前記第１のキャリッジをテーブルに締結することであって、前記テーブルは前記作動機器に接続されていることを含む、請求項２３又は２４に記載の方法。
【請求項２６】
前記作動機器から前記第２のキャリッジを切り離すことは、前記第２のキャリッジを前記テーブルに固定する前記早替え締結具を切り離すことを含む、請求項２５に記載の方法。
【請求項２７】
前記作動機器から前記第２のキャリッジを切り離すことは、前記第２のキャリッジの受け部材から前記作動機器のサーボモータを切り離すことを含む、請求項２３〜２６のいずれか１項に記載の方法。
【請求項２８】
前記第１のキャリッジを前記作動機器に結合することは、前記作動機器のサーボモータを前記第１のキャリッジの受け部材に結合することを含む、請求項２３〜２７のいずれか１項に記載の方法。
【請求項２９】
さらに、前記作動機器から前記第２のキャリッジを切り離す前に、前記第２のキャリッジの第２の受け台に第２のシリンジアセンブリを位置決めすることであって、前記第２の受け台は、第２のサイズの前記第２のシリンジアセンブリを受け入れるように適合され、前記第２のシリンジアセンブリは、遠位端部及び近位端部、注射筒、及び前記注射筒内に配置されたプランジャーを含み、前記第２のキャリッジの前記第２の受け台は、第２のサイズの第２の注射筒を受け入れるようなサイズにされること；
前記第２のキャリッジの前記第２の受け台に第２のプランジャーロッドを位置決めすることであって、前記第２のプランジャーロッドは、遠位ロッド端部及び近位ロッド端部を含み、及び前記遠位ロッド端部は、前記第２のシリンジアセンブリの前記近位端部の上方に配置され、及び前記プランジャーと軸方向に位置合わせされていること；及び
前記第２のキャリッジに結合された前記作動機器を起動して、前記第２の受け台を第１の位置から第２の位置へ動かし、それにより、前記第２のプランジャーロッドに力を加えて、前記第２のプランジャーロッドが前記第２のシリンジアセンブリに結合されるようにすること
を含む、請求項２３〜２８のいずれか１項に記載の方法。
【請求項３０】
さらに、前記作動機器の起動に応答して、前記受け台を前記第１の位置から前記第２の位置へ２回以上割り送りすることを含む、請求項２３〜２９のいずれか１項に記載の方法。